(57)【要約】【課題】  コンパクト且つ安定的な音出力を可能にする骨伝導スピーカモジュール及び骨伝導スピーカモジュールを備えたイヤホンを提供する。【解決手段】  骨伝導スピーカモジュールは、人体に接する部分をカバーする第１ケースと前記第１ケースの他側をカバーする第２ケースとから成るハウジングと、前記ハウジングの内部に備える磁石部と、前記磁石部の上部に位置するボイスコイル部から構成される。【選択図】図３
2017522801.tif 000002
【特許請求の範囲】
【請求項１】
イヤホン、ヘッドホン、補聴器に使われる骨伝導スピーカーモジュールであって、
人体と接する部分をカバーする第１ケースと前記第１ケースの他側をカバーする第２ケースとからなるハウジングと、
前記ハウジングの内部に備えられる磁石部と、
前記磁石部の上部に位置するボイスコイル部とを含んでなることを特徴とする、骨伝導スピーカーモジュール。
【請求項２】
前記ボイスコイル部はバー形状の弾性支持部の下部に取り付けられ、
前記弾性支持部の一端部のみ前記ハウジングの内部に固定されることを特徴とする、請求項１に記載の骨伝導スピーカーモジュール。
【請求項３】
前記第２ケースには内側に突出する第１支持突部が形成され、
前記第１支持突部の端部には前記弾性支持部の一端部が固定されることを特徴とする、請求項２に記載の骨伝導スピーカーモジュール。
【請求項４】
前記磁石部は、永久磁石からなる磁石と、前記磁石の外側に備えられる磁石カバーとを含んでなることを特徴とする、請求項１に記載の骨伝導スピーカーモジュール。
【請求項５】
前記磁石カバーには前記磁石が装着される装着部が形成され、
前記装着部は第２ケースの方向に開放するように形成されることを特徴とする、請求項４に記載の骨伝導スピーカーモジュール。
【請求項６】
前記第２ケースの内側には第２支持突部が形成され、
前記第２支持突部の上端には磁石部が取り付けられる磁石支持部が備えられることを特徴とする、請求項４に記載の骨伝導スピーカーモジュール。
【請求項７】
前記磁石支持部には、前記磁石部を固定するための固定突起が突設されることを特徴とする、請求項６に記載の骨伝導スピーカーモジュール。
【請求項８】
前記第１ケースと第２ケースの接する部分にはそれぞれ第１結合部と第２結合部が形成され、
前記第１結合部には内周面に沿って結合溝が形成され、
前記第２結合部には外周面に沿って前記結合溝に対応する結合突部が形成されることを特徴とする、請求項１に記載の骨伝導スピーカーモジュール。
【請求項９】
前記第１ケースには人体と接する部分にシリコンシートがさらに備えられることを特徴とする、請求項１に記載の骨伝導スピーカーモジュール。
【請求項１０】
骨伝導スピーカーモジュールからなるモジュール部と、
内部一側に前記モジュール部が形成される本体と、
前記本体のモジュール部が形成された他側下部に形成される挿入部とを含んでなることを特徴とする、骨伝導スピーカーモジュールを備えた骨伝導イヤホン。
【請求項１１】
前記挿入部と本体には互いに連通するように上下に貫通する貫通孔が形成されることを特徴とする、請求項１０に記載の骨伝導スピーカーモジュールを備えた骨伝導イヤホン。
【請求項１２】
前記貫通孔の側部には前記モジュール部と連通する連通部が形成されることを特徴とする、請求項１１に記載の骨伝導スピーカーモジュールを備えた骨伝導イヤホン。
【請求項１３】
前記連通部にはフィルターが備えられることを特徴とする、請求項１２に記載の骨伝導スピーカーモジュールを備えた骨伝導イヤホン。
【発明の詳細な説明】
【技術分野】
【０００１】
本発明は、骨伝導スピーカーモジュール及び骨伝導スピーカーモジュールを備えた骨伝導イヤホンに係り、より詳しくは、入力される信号の歪みを最小化して正確に音を出力することができるだけでなく、少ない振動でも安定的な音を出力することができ、使用者に伝達される振動を最小化することにより、楽な状態で使うことができるだけでなく、内部に備えられる磁石の磁力が使用者に及ぶ影響を最小化することにより、長期間にわたって使っても身体に負担を与えることを防止し、インイヤタイプに構成されて着用を容易にするだけでなく、外部の音も自然に聞けるようにして、外部音が聞けなくて発生し得る安全事故を予防することができる骨伝導スピーカーモジュール及び骨伝導スピーカーモジュールを備えた骨伝導イヤホンに関する。
【背景技術】
【０００２】
一般に、人が音を聞くことができる方法は二通りで、空気伝導（ａｉｒ ｃｏｎｄｕｃｔｉｏｎ）方式と骨伝導（ｂｏｎｅ ｃｏｎｄｕｃｔｉｏｎ）方式がそれである。
このうち、空気伝導方式は音が鼓膜を介して内耳道（ｉｎｎｅｒ ｅａｒ）に伝達される方式のもので、通常空気を介して伝達される音の振動は耳内の鼓膜に伝達され、鼓膜内に位置する三つの骨を介して振動が“蝸牛”というものに伝達される。
したがって、蝸牛（蝸牛管）にはリンパ液という液体が満たされており、この液体の振動が電気信号に変わって聴覚神経に伝達されることにより、人の脳が音を認識することになる。
【０００３】
一方、骨伝導方式は、音が頭蓋骨（ｃｒａｎｉａｌ ｂｏｎｅ）を介して蝸牛管に伝達され、聴覚神経を介して脳に伝達されるもので、音認識メカニズムにおいて振動が鼓膜と鼓膜内に位置する三つの骨を経由する過程を省略したものである。
すなわち、耳周辺の皮膚表面に加わる音響振動が頭蓋骨を介して直接蝸牛に伝達されることにより、鼓膜や耳小骨に異常がある難聴者であっても、蝸牛と聴覚神経が正常であれば皮膚を介した骨伝導によってはっきりと音が聞けることになるものである。
【０００４】
一方、空気伝導型イヤホン及びヘッドホンの場合、耳を塞いで使うため、周辺外部の騷音などが聞けなくて安全事故の危険が増加しているので、先進国では耳を塞いで使用する空気伝導型イヤホン及びヘッドホンを着用して道路上で音楽などを聞き取りすることができないように法律的に規制している。
【０００５】
また、近年、デジタル音響及び通信機器の眩しい普及によって世界的に青少年の騷音性難聴が増加し、人口の１０％以上が難聴を訴えており、世界的な高齢化時代の老人性難聴の増加も社会的に問題視されているため、受信されるスピーカーの音量を減らすか使用時間を減らすことを代案として提示している実情である。
したがって、骨伝導スピーカーは、一般人の場合、耳を開いて使うことによって周辺の騷音を同時に受信するので、安全事故を予防することができ、鼓膜に直接的な影響を与えずに骨伝導の原理を用いて使うので、難聴を予防することができるものである。
【０００６】
また、一般的な骨伝導スピーカーの構造は、スピーカーの出力向上のために振動子の構成をスピーカーハウジングの外部に構成することにより、音量の増加時ごとに振動幅が増加するため、使用時には、人体がくすぐったい現象を増加させ、一部の使用者では長期間の使用時に目眩や頭痛が発生する問題点があった。
【０００７】
また、骨伝導スピーカーはステレオサウンド（ｓｔｅｒｅｏ ｓｏｕｎｄ）を再生する能力がめっきり低下し、一般的なモノ（ｍｏｎｏ）サウンドのため、骨伝導の利点にもかかわらず、致命的な技術限界がある。よって、ステレオ（ｓｔｅｒｅｏ）を使うオーディオ用に普及されているが、品質に深刻な問題がある。
【０００８】
このような骨伝導を用いるスピーカーの一例として、図１及び図２に示したような大韓民国登録特許第１０−０７７０５９０号に記載された技術がある。その技術的特徴として、スピーカー３００は、円筒形の第１磁石３０１と、前記第１磁石３０１の外側に所定間隔で隔たって構成される円筒形の第２磁石３０２と、前記第１磁石３０１の内側に所定間隔で隔たって構成される円柱形のポールピース３０３と、前記第１磁石３０１、第２磁石３０２及びポールピース３０３の後端を支持しながら磁束を誘導する下部プレート３０４と、前記第１磁石３０１の上端に構成されるドーナツ形の第１上部プレート３０５と、前記第１上部プレート３０５の外側でありながら前記第２磁石３０２の上端に構成されるドーナツ形の第２上部プレート３０６と、前記第１上部プレート３０５の内側でありながら前記ポールピース３０３の上端に構成される円盤形の第３上部プレート３０７と、前記第１磁石３０１及びポールピース３０３の間に形成される第１振動空間３０１ａで振動する円筒形の第１振動コイル３０８と、前記第１振動コイル３０８が巻線された円筒形の第１ボビン３０９と、前記第１磁石３０１及び第２磁石３０２の間に形成される第２振動空間３０２ａで振動する円筒形の第２振動コイル３１０と、前記第２振動コイル３１０が巻線された円筒形の第２ボビン３１１と、前記第１ボビン３０９の上端に固定され、第１ボビン３０９の振動とともに振動しながら被振動体（一般的に、空気）を振動させる第１振動素材３１２と、前記第２ボビン３１１の上端に固定され、第２ボビン３１１の振動とともに振動しながら被振動体（骨又は空気などであってもよい）を振動させる第２振動素材３１３と、前記第１上部プレート３０５の上端に固定されるとともに前記第１ボビン３０９と第２ボビン３１１の間に構成され、前記第１振動素材３１２を支持するドーナツ形の第１フレーム３１４と、前記第２上部プレート３０６の上端に固定され、前記第１フレーム３１４と一緒に前記第２振動素材３１３を支持するドーナツ形の第２フレーム３１５と、前記第２振動素材３１３を前記第１及び第２フレーム３１４、３１５に弾力的に支持させるエッジ３１６、３１７と、前記第１フレーム３１４の上部を覆い、第１振動素材３１２による振動が前面に出力できるように多数の開放孔３１８ａが形成されたグリル３１８とを含んでなることを特徴とする。
【０００９】
ところが、前記登録特許第１０−０７７０５９０号に記載された技術は、骨伝導方式で音を再生することにより、鼓膜などに損傷があって空気伝導方式では音が聞けない人も安定的に音が聞けるようにする利点はあるが、内部に備えられた磁石が身体部分に近い位置に備えられるため、スピーカーの出力を高めるために磁石の規格及び数量を増加させて構成するので、強い磁力によって人体に良くない影響を与えることになり、スピーカーに必要な複雑な所要部品の構造によってコストが上昇し、音の再生時に音質がめっきり低下する問題点がある。
【００１０】
また、このような骨伝導スピーカーは、既存の空気伝導方式のヘッドホンに比べ、音量と音質が５０〜６０％程度低く出力されるので、外部のうるさい環境では受信率が著しく低下して音をはっきりと受信することが難しい問題点がある。
また、前述したように、前記骨伝導スピーカーは出力が低いから、これを補って出力を高めるために別の増幅器を使う場合、増幅による振動が大きくなるため、使用者に振動が伝達され、それによる衝撃によって使用が不便な問題点があり、よって外部にも音がそのまま伝達されて周囲に騷音を発生させる問題点がある。
【００１１】
また、従来の骨伝導スピーカーは、頭部に着用するために別の高弾性力の支持部がなければならないため、全嵩が増加するだけでなく、保管が容易でなく、着心地が良くないなどの問題点がある。
【先行技術文献】
【特許文献】
【００１２】
【特許文献１】大韓民国登録特許第１０−０７７０５９０号明細書
【発明の概要】
【発明が解決しようとする課題】
【００１３】
本発明は前述したような問題点を解決するために案出されたもので、本発明の目的は、外部を形成する第１ケースと第２ケースの内部にボイスコイル部と磁石部を備えて音を再生することになり、前記ボイスコイル部を支持するコイル支持部がバー形状に形成され、前記コイル支持部の一側端部のみが固定されるようにしてボイスコイル部が自由に振動するようにすることにより、コイル支持部による減衰を最小化して入力される信号を歪みなしに正確に具現するだけでなく、少ない振動でも安定的な音を出力することができ、別の振動板を備えなくても良い音を出力することができる骨伝導スピーカーモジュール及び骨伝導スピーカーモジュールを備えた骨伝導イヤホンを提供することである。
【００１４】
そして、本発明の他の目的は、ボイスコイル部が取り付けられるコイル支持部の端部は第２ケースの内側面に突設される第１支持突部の端部に固定され、前記第１支持突部は第２ケースと下端のみが連結されて、コイル支持部を介して伝達されるボイスコイルの振動をできるだけ減衰させずに第２ケースに伝達することにより、少ない振動でも安定的に音を出力することができるだけでなく、振幅が大きくないので、使用者と直接接触しても使用者が非常に微細な振動のみを感じるようになって楽に使うことができる骨伝導スピーカーモジュール及び骨伝導スピーカーモジュールを備えた骨伝導イヤホンを提供することである。
【００１５】
また、本発明のさらに他の目的は、第１ケースと第２ケースの内部に備えられる構成を最小化することにより、ボイスコイルで発生する振動が各構成の結合される部分によって歪むことを最小化して、受信される信号をより正確に出力することができるようにし、外部に音が漏洩することを最小化して周りの人に聞こえないようにすることにより、騷音公害を減らすことができる骨伝導スピーカーモジュール及び骨伝導スピーカーモジュールを備えた骨伝導イヤホンを提供することである。
【００１６】
また、本発明のさらに他の目的は、ボイスコイル部の下部に備えられる磁石部は人体と接触する第１ケースの他側に備えられる第２ケースに取り付けられ、前記磁石部は永久磁石からなる磁石と前記磁石の外側に備えられる磁石カバーとからなり、磁石の磁力が使用者に及ぶ影響を最小化することにより、長期間にわたって使っても身体に負担を与えないようにする骨伝導スピーカーモジュール及び骨伝導スピーカーモジュールを備えた骨伝導イヤホンを提供することである。
【００１７】
また、本発明のさらに他の目的は、骨伝導イヤホンを形成する本体の一側に外耳道に挿入される挿入部が形成されるインイヤタイプに形成することにより、着用時に別の加圧支持部を備えなくても容易に着用することができるようにし、前記挿入部には本体の上部と連通するように貫通孔を形成することにより、インイヤタイプで着用しても外部の音がよく聞こえるようにすることにより、外部の音が聞こえなくて安全事故が発生することを防止することができる骨伝導スピーカーモジュール及び骨伝導スピーカーモジュールを備えた骨伝導イヤホンを提供することである。
【００１８】
また、本発明のさらに他の目的は、骨伝導イヤホンを形成する本体と挿入部を貫く貫通孔の側部には音を生成するモジュール部が備えられ、前記貫通孔とモジュール部は連通部を介して互いに連通し、モジュール部で生成される骨伝導振動によって発生する一部の空気伝導音が空気伝導方式で鼓膜に伝達され、前記連通部にはフィルターが備えられ、外部から貫通孔に流入する異物がモジュール部に流入することを防止することで、モジュール部で音を再生するときに異物によって騷音が発生することを防止し、骨伝導と空気伝導の音源を損失なしに伝達してより良い音質を再生することができる骨伝導スピーカーモジュール及び骨伝導スピーカーモジュールを備えた骨伝導イヤホンを提供することである。
【課題を解決するための手段】
【００１９】
このような問題点を解決するための本発明は、イヤホン、ヘッドホン、補聴器に使われる骨伝導スピーカーモジュールであって、人体と接する部分をカバーする第１ケースと前記第１ケースの他側をカバーする第２ケースとからなるハウジングと、前記ハウジングの内部に備えられる磁石部と、前記磁石部の上部に位置するボイスコイル部とを含んでなることを特徴とする。
ここで、前記ボイスコイル部はバー形状の弾性支持部の下部に取り付けられ、前記弾性支持部の一端部のみ前記ハウジングの内部に固定されることを特徴とする。
そして、前記第２ケースには内側に突出する第１支持突部が形成され、前記第１支持突部の端部には前記弾性支持部の一端部が固定されることを特徴とする。
一方、前記磁石部は、永久磁石からなる磁石と、前記磁石の外側に備えられる磁石カバーとを含んでなることを特徴とする。
ここで、前記磁石カバーには前記磁石が装着される装着部が形成され、前記装着部は第２ケースの方向に開放するように形成されることを特徴とする。
この際、前記第２ケースの内側には第２支持突部が形成され、前記第２支持突部の上端には磁石部が取り付けられる磁石支持部が備えられることを特徴とする。
そして、前記磁石支持部には、前記磁石部を固定するための固定突起が突設されることを特徴とする。
一方、前記第１ケースと第２ケースの接する部分にはそれぞれ第１結合部と第２結合部が形成され、前記第１結合部には内周面に沿って結合溝が形成され、前記第２結合部には外周面に沿って前記結合溝に対応する結合突部が形成されることを特徴とする。
また、前記第１ケースには人体と接する部分にシリコンシートがさらに備えられることを特徴とする。
一方、前述した構成の骨伝導スピーカーモジュールを備えた骨伝導イヤホンに関するもので、前記骨伝導スピーカーモジュールからなるモジュール部と、内部一側に前記モジュール部が形成される本体と、前記本体のモジュール部が形成された他側下部に形成される挿入部とを含んでなることを特徴とする。
ここで、前記挿入部と本体には互いに連通するように上下に貫通する貫通孔が形成されることを特徴とする。
この際、前記貫通孔の側部には前記モジュール部と連通する連通部が形成されることを特徴とする。
そして、前記連通部にはフィルターが備えられることを特徴とする。
【発明の効果】
【００２０】
前記構成の本発明によると、外部を形成する第１ケースと第２ケースの内部にボイスコイル部と磁石部を備えて音を再生することになり、前記ボイスコイル部を支持するコイル支持部がバー形状に形成され、前記コイル支持部の一側端部のみが固定されるようにしてボイスコイル部が自由に振動するようにすることにより、コイル支持部による減衰を最小化して入力される信号を歪みなしに正確に具現するだけでなく、少ない振動でも安定的な音を出力することができ、別の振動板を備えなくても良い音を出力することができる効果がある。
【００２１】
そして、本発明は、ボイスコイル部が取り付けられるコイル支持部の端部は第２ケースの内側面に突設される第１支持突部の端部に固定され、前記第１支持突部は第２ケースと下端のみが連結されて、コイル支持部を介して伝達されるボイスコイルの振動をできるだけ減衰させずに第２ケースに伝達することにより、少ない振動でも安定的に音を出力することができるだけでなく、振幅が大きくないので、使用者と直接接触しても使用者が非常に微細な振動のみを感じるようになって楽に使うことができる効果がある。
【００２２】
また、本発明は、第１ケースと第２ケースの内部に備えられる構成を最小化することにより、ボイスコイルで発生する振動が各構成の結合される部分によって歪むことを最小化して、受信される信号をより正確に出力することができるようにし、外部に音が漏洩することを最小化して周りの人に聞こえないようにすることにより、騷音公害を減らすことができる効果がある。
【００２３】
また、本発明は、ボイスコイル部の下部に備えられる磁石部は人体と接触する第１ケースの他側に備えられる第２ケースに取り付けられ、前記磁石部は永久磁石からなる磁石と前記磁石の外側に備えられる磁石カバーとからなり、磁石の磁力が使用者に及ぶ影響を最小化することにより、長期間にわたって使っても身体に負担を与えないようにする効果がある。
【００２４】
また、本発明は、骨伝導イヤホンを形成する本体の一側に外耳道に挿入される挿入部が形成されるインイヤタイプに形成することにより、着用時に別の加圧支持部を備えなくても容易に着用することができるようにし、前記挿入部には本体の上部と連通するように貫通孔を形成することにより、インイヤタイプで着用しても外部の音がよく聞こえるようにすることにより、外部の音が聞こえなくて安全事故が発生することを防止することができる効果がある。
【００２５】
また、本発明は、骨伝導イヤホンを形成する本体と挿入部を貫く貫通孔の側部には音を生成するモジュール部が備えられ、前記貫通孔とモジュール部は連通部を介して互いに連通し、モジュール部で生成される骨伝導振動によって発生する一部の空気伝導音が空気伝導方式で鼓膜に伝達され、前記連通部にはフィルターが備えられ、外部から貫通孔に流入する異物がモジュール部に流入することを防止することで、モジュール部で音を再生するときに異物によって騷音が発生することを防止し、骨伝導と空気伝導の音源を損失なしに伝達してより良い音質を再生することができる効果がある。
【図面の簡単な説明】
【００２６】
【図１】従来の骨伝導ヘッドホンの分離斜視図である。
【図２】従来の骨伝導ヘッドホンの断面図である。
【図３】本発明による骨伝導スピーカーモジュールの斜視図である。
【図４】本発明による骨伝導スピーカーモジュールの分離斜視図である。
【図５】本発明による骨伝導スピーカーモジュールの断面図である。
【図６】一般的な骨伝導スピーカーの周波数別出力を示すグラフである。
【図７】本発明による骨伝導スピーカーモジュールによる周波数別出力を示すグラフである。
【図８】図５で磁石カバーの磁石装着部の深みが浅くて磁石が磁石装着部から突出するように形成された状態の断面図である。
【図９】本発明による骨伝導スピーカーモジュールを備えた骨伝導イヤホンの斜視図である。
【図１０】本発明による骨伝導スピーカーモジュールを備えた骨伝導イヤホンの断面図である。
【図１１】本発明の他の実施例による貫通孔を密閉する栓が設けられた骨伝導スピーカーモジュールを備えた骨伝導イヤホンの断面図である。
【図１２】本発明の他の実施例による骨伝導スピーカーモジュールを備えた骨伝導イヤホンの断面図である。
【発明を実施するための形態】
【００２７】
以下、添付図面に基づいて本発明の好適な実施例をより詳細に説明する。図面上の同一の構成要素に対しては同一の参照符号を付け、同一の構成要素についての重複した説明は省略する。そして、本発明は多数の相異なる形態に具現されることができ、記述された実施例に限定されないことを理解しなければならない。
【００２８】
図３は本発明による骨伝導スピーカーモジュールの斜視図、図４は本発明による骨伝導スピーカーモジュールの分離斜視図、図５は本発明による骨伝導スピーカーモジュールの断面図、図６は一般的な骨伝導スピーカーの周波数別出力を示すグラフ、図７は本発明による骨伝導スピーカーモジュールによる周波数別出力を示すグラフ、図８は図５で磁石カバーの磁石装着部の深みが浅くて磁石が磁石装着部から突出するように形成された状態の断面図、図９は本発明による骨伝導スピーカーモジュールを備えた骨伝導イヤホンの斜視図、図１０は本発明による骨伝導スピーカーモジュールを備えた骨伝導イヤホンの断面図、図１１は本発明の他の実施例による貫通孔を密閉する栓が設けられた骨伝導スピーカーモジュールを備えた骨伝導イヤホンの断面図、図１２は本発明の他の実施例による骨伝導スピーカーモジュールを備えた骨伝導イヤホンの断面図である。
【００２９】
本発明は、イヤホン、ヘッドホン、補聴器などに備えられ、音を再生するようにする骨伝導スピーカーモジュール及び骨伝導スピーカーモジュールを備えた骨伝導イヤホンに関するもので、まず骨伝導スピーカーモジュールを調べると、図３〜図５に示したように、その構成はハウジングと前記ハウジングの内部に備えられるボイスコイル部１３０と磁石部１４０とからなる。
ここで、前記ハウジング１００は、人体と接触する部分をカバーするように形成される第１ケース１１０と前記第１ケース１１０の他側をカバーする第２ケース１２０とからなり、前記第１ケース１１０と第２ケース１２０の形状はイヤホン、ヘッドホン又は補聴器などの応用対象によって多様な形状に形成されることができる。
【００３０】
そして、前記第１ケース１１０と第２ケース１２０は着脱式で結合される。前記第１ケース１１０と第２ケース１２０が接する部分にはそれぞれ第１結合部１１６と第２結合部１２６が形成され、前記第１ケース１１０の第１結合部１１６は内周面に沿って結合溝１１８が形成され、前記第２ケース１２０の第２結合部１２６は外周面に沿って前記結合溝１１８に対応するように結合突部１２８が形成される。
したがって、前記第１結合部１１６の結合溝１１８に前記第２結合部１２０の結合突部１２８が挿入固定されるので、第１ケース１１０と第２ケース１２０は堅固に結合され、意図せぬ分離を防止することになる。
【００３１】
一方、前記ハウジング１００の内部に備えられるボイスコイル部１３０は、ボビン１３２とボビン１３２の外周面に巻線されるボイスコイル１３４とからなる。前記ボイスコイル部１３０は高弾性力の弾支部１２２の下部に取り付けられ、前記弾支部１２２はバー形状に形成され、ハウジング１００の内部に一側端部のみ固定される。
ここで、前記ハウジング１００の一側をカバーする第２ケース１２０には内側に突出するように第１支持突部１２１が形成される。前記第１支持突部１２１の上端部には、前記ボイスコイル部１３０が弾支される弾支部１２２の一側端部が固定される。
【００３２】
この際、前記弾支部１２２は、前記第１支持突部１２１と連結される端部に第３結合部１２２ａが形成され、これが前記第１支持突部１２１の端部に接着固定されるか、あるいはネジ又はクギなどで堅固に固定されることにより、ボイスコイル部１３０で発生した振動を前記弾支部１２２及び第１支持突部１２１を介してハウジング１００に伝達し、このように伝達された振動はハウジング１００と接触する使用者の身体部位に伝達される。
そして、前記弾支部１２２はバー形状に形成され、一側端部のみ固定されるので、自由に振動することができる。よって、下部に備えられるボイスコイル部１３０に印加される信号によってボイスコイル部１３０が振動するとき、振動力を減殺させる力が最小化するので、印加信号を正確に再現することができるようになり、また信号の減殺が最小化するので、出力が低くても安定的に音を出力することができることになる。
【００３３】
すなわち、従来には、図１及び図２に示したように、ボビンの上端に備えられる振動素材３１２が円盤形に形成され、外周面の全部が固定されるので、ボイスコイルが巻き取られたボビンが振動するとき、振動力を一定程度以上に減殺させることになるので、信号を正確に再生しにくいだけでなく、出力を減殺させて出力を低下させることになるが、本発明は、ボイスコイル部１３０が取り付けられる弾支部１２２はバー形状に形成され、一側端部のみが固定されるので、自由に振動することができ、信号の減殺を最小化し、信号を正確に出力することができるだけでなく、出力も高めることになる。
したがって、従来には、出力低下のため、別に増幅器などで出力を高めることになる。この場合、出力が高くはなるが、振幅が増加する。よって、使用者が骨伝導スピーカーを身体に接触させれば、骨伝導スピーカーの振動が使用者にそのまま伝達されるため、骨伝導スピーカーの振動によって使用し難い問題点がある。一方、本発明は、前記弾支部１２２で減殺程度を最小化するので、別に増幅器を使わなくても良く、それによって振幅も増加しないので、音を再生させるとき、振動を最小化することにより、使用者が本発明の骨伝導スピーカーモジュールを備えたスピーカーを身体に接触しても微細な振動のみを感じ、長期間にわたって楽な状態で使うことができることになる。
【００３４】
また、前記ボイスコイル部１３０の振動する振幅が大きくないから、外部に音が漏出することを安定的に防止し、周辺に人があっても音を感じることができなく、周辺の人が騷音による不便さを感じないようにする効果がある。
そして、前記第１ケース１１０は、使用者の身体と接触する部分にシリコンシート１１４をさらに含み、前記第１ケース１１０にはシート装着凹部１１２が形成され、これに前記シリコンシート１１４が取り付けられる。
したがって、前記シリコンシート１１４が使用者の身体と接触するので、使用者の着心地が良いだけでなく、長期間にわたって使っても身体に負担を与えないようにする。
すなわち、骨伝導スピーカーは使用者の身体と接触して音を伝達することになるので、別に備えられる着用部（図示せず）によって使用者の身体方向にスピーカー部を加圧することになる。この時、持続的に加圧すれば、身体に負担を与えることになる。しかし、本発明は、身体と接触する部分にシリコンシートを備えることにより、身体を加圧する部分を柔らかくして、長期間使っても楽に使うことができるようにする効果がある。
【００３５】
一方、前記磁石部１４０は、永久磁石でなる磁石１４２と前記磁石１４２の外側に備えられる磁石カバー１４４とからなる。前記磁石部１４０は使用者の身体と接触する第１ケース１１０の他側に位置する第２ケース１２０に取り付けられ、磁石１４２から放出される磁力が使用者に及ぶ影響を最小化するようになる。
また、前記磁石カバー１４４には磁石１４２が装着される磁石装着部１４５が形成され、前記磁石装着部１４５は一側が開放するように形成され、開放部分は使用者が位置しない第２ケース１２０の方向に開放するので、前記磁石カバー１４４によって使用者側に放出される磁力を減らし、使用者が磁力によって悪影響を受けることを最小化し、よって本発明の骨伝導スピーカーモジュールが装着されたイヤホン又はヘッドホンなどを長期間にわたって安定的に使うことができるようになる。
この際、前記磁石カバー１４４は黄銅、アルミニウム又はＳＵＳ（Ｓｔｅｅｌ Ｕｓｅ Ｓｔａｉｎｌｅｓｓ）からなり、前述したように、磁石１４２から放出される磁力を弱化させることにより、使用者が磁力によって悪影響を受けることを最小化するようになる。
【００３６】
一方、前記磁石カバー１４４は、図８に示したように、磁石カバー１４４に形成される磁石装着部１４５の深みが磁石１４２の厚さより小さく形成されることで、磁石１４２が磁石装着部１４５の外部に突出するように形成することもできる。
そして、前記第２ケース１２０の内側には所定の間隔で第２支持突部１２３が形成され、前記第２支持突部１２３の上端には磁石支持部１２４が備えられる。前記第２支持突部１２３は第２ケース１２０の大きさ及び形状によって多様な個数のものが取り付けられて、前記磁石支持部１２４を安定的に支持するようになる。
ここで、前記磁石支持部１２４は板状に形成され、上面には所定間隔で固定突起１２５が形成されることにより、磁石部１４０を堅固に固定するようになる。
したがって、前記ボイスコイル部１３０に印加される信号に応じて発生する磁力と磁石部１４０で発生する磁力によってボイスコイル部１３０が振動し、それによって音が発生する。
【００３７】
また、前記磁石支持部１２４は射出成形などの方法によって合成樹脂からなることもでき、高弾性の金属素材からなることもできる。高弾性の金属素材からなる場合には、ボイスコイル部１３０で発生する磁力に対応して磁石支持部１２４も振動することにより、信号をより正確に再生することができるだけでなく、磁石部１３０が金属素材からなる磁石支持部１２４に磁石１４２の引力で堅固に結合されるので、より容易に取り付けることができる。
【００３８】
一方、前記磁石部１４０とボイスコイル部１３０の間には、ボイスコイル部１３０が自由に振動することができるように、振動空間が形成される。前記振動空間は、磁石１４２の規格、ボイスコイル部１３０のインピーダンス、弾支部１２２の弾性力などによって大きさを調節して最適の音量及び音質を再生することができるようにする。
そして、前記第２支持突部１２３によって磁石支持部１２４の下部には別の補助空間が形成される。前記ボイスコイル部１３０によって生成された振動が前記補助空間でも振動するので、スピーカーの出力をもっと高くする。
すなわち、図６に示したような従来の骨伝導スピーカーの低音域帯の解像度と比較するとき、本発明は図７に示したように低音域帯をより原音に近く再生することができ、出力も高めることになる。
【００３９】
一方、前述した構成の骨伝導スピーカーモジュールを備えた骨伝導イヤホン２００を調べると、図９及び図１０に示したように、前述した骨伝導スピーカーモジュールでなるモジュール部２１０と、内部一側に前記モジュール部２１０が形成される本体２２０と、前記本体２２０の下部に形成される挿入部２３０とからなる。
ここで、前記挿入部２３０は本体２２０においてモジュール部２１０が形成される側の他側下部に形成される。前記挿入部２３０は一側に傾くように形成されることにより、使用者の外耳道に容易に挿入されることができる。
【００４０】
また、前記挿入部２３０の外側にはシリコンなどからなる別のシーリング部材（図示せず）をさらに備えることで、人ごとに外耳道の大きさが違ってもシーリング部材によって安定的に固定された状態を維持することができるようになり、従来の骨伝導ヘッドホンのように加圧支持部を備えなくても安定的に着用することができるようになる。
この際、本発明の骨伝導イヤホン２００は、前述した骨伝導スピーカーモジュールの第１ケース１１０と第２ケース１２０のように上下ケース（符号は示さない）で形成して内部にモジュール部２１０を形成することもでき、その外の多様な方法で本体２２０の内部にモジュール部２１０を形成することができるようになる。
【００４１】
一方、前記挿入部２３０は、本体２２０と互いに連通するように、上下に貫設された貫通孔２３２が形成される。
したがって、本発明の骨伝導イヤホン２００を着用する場合、前記貫通孔２３２を通じて外部の音が空気伝導方式で伝達されることによって外部の音が聞けるようになる。よって、インイヤタイプの場合には外部の音が聞けなくて安全事故が発生することができるが、このような安全事故を事前に防止することができるようになる。
すなわち、従来には、インイヤタイプのイヤホンを着用する場合、外部の音が完全に遮断されるため、着用者の後から車両が近付くか、近付く車両で警笛を鳴らしてもこれを認知することができなくて頻繁に事故が発生しているが、本発明では、本体２２０及び挿入部２３０に外部と連通するように貫通孔２３２を形成することによって外部の音が聞けるので、このような安全事故を防止することができるようになる。
もちろん、前記挿入部２３０と本体２２０を貫く貫通孔２３２には、図１１に示したように、別の栓２３８を備えて貫通孔２３２を密閉することができる。これは、安全な場所で外部の騷音は遮断しながらイヤホンから出力される音に集中することを望むときに使うことができる。
【００４２】
一方、前記本体２２０の内部一側には前記モジュール部２１０が形成され、前記モジュール部２１０が形成された側の他側には貫通孔２３２が形成される。前記貫通孔２３２の側部には前記モジュール部２１０と連通する連通部２３４が形成される。
したがって、前記モジュール部２１０で発生する音が骨伝導方式だけでなく、前記連通部２３４及び貫通孔２３２を通じて空気伝導方式でも伝達されるので、音源の損失なしによりはっきりとした音が聞けるようになる。
そして、前記連通部２３４にはフィルター２３６が備えられ、前記貫通孔２３２を通じて流入する外部の異物がモジュール部２１０に流入することを防止することにより、モジュール部２１０に流入した異物によって騷音が発生することを防止してより安定的な音を出力することができるようになる。
【００４３】
一方、本発明のさらに他の実施例は、図１２に示したように、前記本体２２０の側部には補助シーリング部材２４０がさらに備えられる。前記本体２２０の側面には固定孔２２２が形成され、前記補助シーリング部材２４０には前記固定孔２２２に対応する固定突起２４２が形成されることにより、本体２２０の側部に着脱可能に備えられる。
したがって、使用者の外耳が大きな場合には、本発明の骨伝導イヤホン２００を着用するときに外耳に空間が多く残って骨伝導イヤホン２００が揺れる。この時、前記補助シーリング部材２４０を本体２２０に結合して空間を埋めることにより、骨伝導イヤホン２００が揺れることを防止するようになる。
以上本発明の好適な実施例を説明したが、本発明の権利範囲はこれに限定されなく、本発明の実施例と実質的に均等な範囲にあるものまで本発明の権利範囲が及ぶもので、本発明の精神を逸脱しない範疇内で本発明が属する技術分野で通常の知識を有する者によって多様な変形実施が可能なものである。
【符号の説明】
【００４４】
１００・・ハウジング、１１０・・第１ケース、１２０・・第２ケース、１３０・・ボイスコイル部、２００・・骨伝導イヤホン、２１０・・モジュール部、２２０・・本体２３０・・挿入部、２４０・・補助シーリング部材。
【図１】
2017522801.tif 000003
【図２】
2017522801.tif 000004
【図３】
2017522801.tif 000005
【図４】
2017522801.tif 000006
【図５】
2017522801.tif 000007
【図６】
2017522801.tif 000008
【図７】
2017522801.tif 000009
【図８】
2017522801.tif 000010
【図９】
2017522801.tif 000011
【図１０】
2017522801.tif 000012
【図１１】
2017522801.tif 000013
【図１２】
2017522801.tif 000014
【国際調査報告】
2017522801.tif 000015
2017522801.tif 000016
2017522801.tif 000017
2017522801.tif 000018
2017522801.tif 000019
2017522801.tif 000020